(57)【要約】【課題】表示された情報を手間をかけずに確実に分断する。【解決手段】情報が表示される貼付票１２を具備する伝票シート１０と、伝票シート１０の情報が表示される面とは反対側の面に積層された擬似接着層４０とを有し、伝票シート１０は、貼付票１２の外側から内側に向かっていく渦状の分離部１３ａが伝票シート１０から分離可能に区画形成されている。【選択図】図１
2020040317.tif 000002
【特許請求の範囲】
【請求項１】
情報が表示される情報表示部を具備する第１のシートと、
前記第１のシートの前記情報が表示される面とは反対側の面に積層された第１の接着層とを有し、
前記第１の接着層が、少なくとも前記情報表示部に対向する領域が、当該第１の接着層によって基材または被着体に貼着された前記第１のシートの前記基材または被着体からの剥離を可能とする構造を具備する情報保護ラベルにおいて、
前記第１のシートは、前記情報表示部に、該情報表示部の外側から内側に向かっていく渦状の分離部が当該第１のシートから分離可能に区画形成されていることを特徴とする、情報保護ラベル。
【請求項２】
請求項１に記載の情報保護ラベルにおいて、
前記基材として、前記第１の接着層によってその全面にて前記第１のシートに擬似貼着され、前記第１のシートとの貼着面とは反対側の面に第２の接着層が積層された第２のシートを有する、情報保護ラベル。
【請求項３】
請求項１または請求項２に記載の情報保護ラベルにおいて、
前記分離部は、前記渦状の外側の端部が、前記情報表示部の端部に設けられている、情報保護ラベル。
【発明の詳細な説明】
【技術分野】
【０００１】
本発明は、情報が表示されるラベルに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに表示されて用いられる場合があるが、その場合、配送物から剥離した配送ラベルの廃棄とともに個人情報が漏洩する可能性が生じてしまう。
【０００３】
ここで、個人情報が表示される情報表示シートと、接着層を介して情報表示シートに剥離可能に接着された基材シートとからなる個人情報保護シートであって、情報表示シートに、切れ目によって情報表示シートから分離可能となった分離部が、情報表示シート上を往復するようにして設けられたり、情報表示シートにて互いに分離して設けられたりした個人情報保護シートが、例えば、特許文献１に開示されている。
【０００４】
特許文献１に開示された技術によれば、情報表示シートに個人情報が表示されている個人情報保護シートを廃棄する際に、情報表示シートを基材シートから剥離すると、情報表示シートから分離部が分離し、それにより、情報表示シートに表示された個人情報が分断され、個人情報の漏洩を回避することができる。
【先行技術文献】
【特許文献】
【０００５】
【特許文献１】特許第３５３６２５０号公報
【発明の概要】
【発明が解決しようとする課題】
【０００６】
しかしながら、特許文献１に開示された分離部のように、情報表示シート上を往復するように分離部が設けられたものにおいては、特に分離部の幅を狭くした場合、情報表示シートを基材シートから剥離する際、分離部の往復の折り返し部においては、分離部が向かう方向が急激に変化することで分離部が途中で破断してしまい、情報表示シートに表示された個人情報を分断することができなくなってしまう虞がある。また、情報表示シートにおける情報の表示方向と分離部が延びる方向とが同一である場合、情報表示シートから分離部を分離したとしても、情報表示シートに表示された個人情報を分断することができない虞がある。特に、上述したように分離部の往復の折り返し部から情報表示シートが破断してしまうことを回避するために分離部の幅を広くした場合、個人情報がそのまま分離部に残って分断することができなくなる可能性が高い。
【０００７】
また、特許文献１に開示された分離部のように、複数の分離部が情報表示シートにて互いに分離して設けられたものにおいては、分離部以外の領域を基材シートから剥離した後、基材シートが貼着された配送物等の被着体から分離部を完全に除去するには、基材シートに貼着されたままとなっている分離部を１つずつ基材シートから剥離しなければならず、かなり煩雑な手間となってしまう。
【０００８】
本発明は、上述したような従来の技術が有する問題点に鑑みてなされたものであって、表示された情報を手間をかけずに確実に分断することができる情報保護シートを提供することを目的とする。
【課題を解決するための手段】
【０００９】
上記目的を達成するために本発明は、
情報が表示される情報表示部を具備する第１のシートと、
前記第１のシートの前記情報が表示される面とは反対側の面に積層された第１の接着層とを有し、
前記第１の接着層が、少なくとも前記情報表示部に対向する領域が、当該第１の接着層によって基材または被着体に貼着された前記第１のシートの前記基材または被着体からの剥離を可能とする構造を具備する情報保護ラベルにおいて、
前記第１のシートは、前記情報表示部に、該情報表示部の外側から内側に向かっていく渦状の分離部が当該第１のシートから分離可能に区画形成されていることを特徴とする。
【００１０】
上記のように構成された本発明においては、第１の接着層によって基材または被着体に貼着された第１のシートのうち情報表示部が基材または被着体から剥離される際、情報表示部のうち分離部が基材または被着体から剥離したり、情報表示部の分離部以外の領域が基材または被着体から剥離したりすることで分離部が第１のシートから分離することになる。これにより、情報表示部に表示された情報が分断されることになるが、分離部が、情報表示部の外側から内側に向かっていく渦状であることで、分離部が向かう方向が急激に変化する領域が存在せず、それにより、分離部を第１のシートから分離する際に、分離部が途中で破断しにくくなる。そのため、分離部が第１のシートから分離された場合に情報表示部に表示された情報を認識されにくくするために分離部の幅を狭くすることもできる。また、分離部が、情報表示部の外側から内側に向かっていく渦状であることで、分離部が向かう方向が一定になりにくくなっており、それにより、情報表示部に表示された情報の表示方向が分離部が向かう方向と同一となりにくくなり、分離部が第１のシートから分離された場合に、情報表示部に表示された情報が認識されにくくなる。さらに、分離部が、情報表示部の外側から内側に向かっていく渦状であることで、分離部を第１のシートから分離する際、一度の作業で、情報表示部のうち分離部を基材または被着体から剥離したり、情報表示部の分離部以外の領域を基材または被着体から剥離したりすることができる。
【００１１】
また、基材として、第１の接着層によってその全面にて第１のシートに擬似貼着され、第１のシートとの貼着面とは反対側の面に第２の接着層が積層された第２のシートを用い、シート基材が２層構造となったラベルとしてもよい。
【００１２】
また、分離部の渦状の外側の端部が、情報表示部の端部に設けられていれば、分離部を基材または被着体から剥離して第１のシートから分離する際に、分離部の渦状の外側の端部から分離部が剥離しやすくなる。
【発明の効果】
【００１３】
本発明によれば、情報表示部に表示された情報を分断するための分離部が、情報表示部の外側から内側に向かっていく渦状であることにより、表示された情報を手間をかけずに確実に分断することができる。
【００１４】
また、分離部の渦状の外側の端部が、情報表示部の端部に設けられているものにおいては、分離部を基材または被着体から剥離して第１のシートから分離する際に、分離部の渦状の外側の端部から分離部を剥離しやすくすることができる。
【図面の簡単な説明】
【００１５】
【図１】本発明の情報保護ラベルを利用した配送ラベルの実施の一形態を示す図であり、（ａ）は表面図、（ｂ）は（ａ）に示したＡ−Ａ’断面図、（ｃ）は伝票シートの裏面に積層されたニス層の構成を示す図である。
【図２】図１に示した配送ラベルが配送物に貼着されるまでの使用方法を説明するための図である。
【図３】配送物の配送先に配送される際の配送ラベルの使用方法を説明するための図である。
【図４】配送物の配送先に配送された後の配送ラベルの使用方法を説明するための図である。
【図５】本発明の情報保護ラベルを利用した配送ラベルの他の実施の一形態を示す図であり、（ａ）は表面図、（ｂ）は（ａ）に示したＡ−Ａ’断面図、（ｃ）は伝票シートの裏面の構成を示す図である。
【図６】本願発明における分離部の他の形態を示す図である。
【発明を実施するための形態】
【００１６】
以下に、本発明の実施の形態について図面を参照して説明する。
【００１７】
図１は、本発明の情報保護ラベルを利用した配送ラベルの実施の一形態を示す図であり、（ａ）は表面図、（ｂ）は（ａ）に示したＡ−Ａ’断面図、（ｃ）は伝票シート１０の裏面に積層されたニス層４２ａ，４２ｂの構成を示す図である。
【００１８】
本形態における配送ラベルは図１に示すように、伝票シート１０と中間シート２０とが擬似接着層４０によって剥離可能に擬似貼着されているとともに、中間シート２０の伝票シート１０との貼着面とは反対側の面に粘着剤層５０を介して剥離シート３０が剥離可能に貼着された配送ラベル１であって、伝票シート１０と擬似接着層４０とによって本願発明の情報保護ラベルが構成されている。
【００１９】
伝票シート１０は、本願発明における第１のシートを構成し、配達票１１と貼付票１２とがスリット１４を介して分離可能に区画形成されて構成されている。
【００２０】
配達票１１には、この配送ラベル１が貼着されて配送される配送物の配送先の住所や氏名等の宛先情報が印字される配送情報表示欄１１ａが設けられているとともに、貼付票１２と隣接する１つの角部に剥離開始マーク１１ｂが表示されている。剥離開始マーク１１ｂは、配達票１１の角部のうち剥離開始マーク１１ｂが表示された１つの角部からその角部とは対角線上にて対向する角部に向かって、配達票１１を中間シート２０から剥離する旨を示している。
【００２１】
貼付票１２は、本願発明における情報表示部となるものであって、この配送ラベル１が貼着されて配送される配送物の配送先の住所や氏名等の宛先情報が印字される配送情報表示欄１２ａが設けられているとともに、配達票１１と隣接する１つの角部に剥離開始マーク１２ｂが表示されている。剥離開始マーク１２ｂは、貼付票１２の剥離開始マーク１２ｂが表示された端部から配達票１１と貼付票１２とが並ぶ方向に直交する方向に向かって、後述する分離部１３ａを中間シート２０から剥離する旨を示している。さらに貼付票１２には、剥離開始端マーク１２ｂを挟んだ２本のスリット１３が、剥離開始マーク１２ｂが表示された貼付票１２の端部から配送情報表示欄１２ａ上を通過して貼付票１２の内側に向かって互いに並行して渦状に形成されている。そして、２本のスリット１３の貼付票１２の端部とは反対側の端部が互いに繋がることで、貼付票１２の外側から内側に向かっていく渦状の分離部１３ａが伝票シート１０から分離可能に区画形成されている。
【００２２】
伝票シート１０の裏面に積層された擬似接着層４０は、本願発明における第１の接着層を構成し、二種類のニス層４２ａ，４２ｂと接着剤層４１とが積層されて構成されており、ニス層４２ａ，４２ｂが伝票シート１０側となるようにして伝票シート１０に積層されている。ニス層４２ａ，４２ｂは、互いにニスの濃度が異なり、それにより、伝票シート１０と中間シート２０とは擬似接着層４０によって剥離可能に貼着されているものの、ニス層４２ａが積層された領域とニス層４２ｂが積層された領域とでは、接着力が互いに異なるものとなっている。ニス層４２ｂは、伝票シート１０との積層面のうち、剥離開始マーク１２ｂが表示された端部に沿う領域の裏面に積層されており、ニス層４２ａは伝票シート１０との積層面のそれ以外の領域全面に積層されている。そして、ニス層４２ｂにおけるニス濃度がニス層４２ａにおけるニスの濃度よりも濃いことにより、擬似接着層４０は、貼付票１２に対向する領域のうち、剥離開始マーク１２ｂが表示された端部に沿う領域が、他の領域に対して接着力が弱い構造となっている。接着剤層４１は、ニス層４２ａ，４２ｂの全面を覆うように積層されている。
【００２３】
中間シート２０は、本願発明における第２のシートを構成するものであって、擬似接着層４０によって伝票シート１０に剥離可能に擬似貼着されている。中間シート２０の擬似接着層４０とは反対側の面には、その全面に粘着剤が塗布されることで第２の接着層となる粘着剤層５０が積層され、この粘着剤層５０によって剥離シート３０が剥離可能に貼着されている。なお、中間シート２０、粘着剤層５０及び剥離シート３０としては、中間シート２０と剥離シート３０が粘着剤層５０を介して剥離可能に貼着されたタック紙を用いることが考えられる。
【００２４】
以下に、上記のように構成された配送ラベル１の使用方法及びその際の作用について説明する。
【００２５】
図２は、図１に示した配送ラベル１が配送物に貼着されるまでの使用方法を説明するための図である。
【００２６】
図１に示した配送ラベル１を使用する場合は、まず、図２（ａ）に示すように、配送情報表示欄１１ａ，１２ａに、この配送ラベル１が貼着されて配送される配送物の配送先の住所や氏名等の配送情報１１ｃ，１２ｃが印字される。
【００２７】
配送情報表示欄１１ａ，１２ａに配送情報１１ｃ，１２ｃが印字された後、中間シート２０から剥離シート３０が剥離され、表出した粘着剤層５０によって、図２（ｂ）に示すように配送物２に貼着される。
【００２８】
このようにして配送ラベル１が貼着された配送物２は、配送情報表示欄１１ａ，１２ａに表示された配送情報１１ｃ，１２ｃに従って、配送物２の配送先に配送されていく。
【００２９】
図３は、配送物２の配送先に配送される際の配送ラベル１の使用方法を説明するための図である。図４は、配送物２の配送先に配送された後の配送ラベル１の使用方法を説明するための図である。
【００３０】
上記のように配送ラベル１が貼着された配送物２が配送先に配送されると、図３（ａ）に示すように、配達票１１が配送ラベル１から分離される。配達票１１は、スリット１４を介して貼付票１２と分離可能となっているとともに、伝票シート１０の裏面に積層された擬似接着層４０によって中間シート２０に剥離可能に貼着されていることで、例えば、剥離開始マーク１１ｂに従って中間シート２０から剥離することができる。
【００３１】
中間シート２０から剥離された配達票１１は、配送業者によって持ち帰られて配送管理に用いられる。
【００３２】
このようにして、図３（ｂ）に示すように、配達票１１が配送物２から分離されることになる。
【００３３】
その後、配送物２の配送先においては、配送物２のパッケージ等の外装を廃棄する際、剥離開始マーク１２ｂに従って、図４（ａ）に示すように、貼付票１２のうち分離部１３ａが配送ラベル１から分離されていく。分離部１３ａは、擬似接着層４０によって中間シート２０に剥離可能に貼着されているとともに、スリット１３によって貼付票１２から分離可能に区画形成されているため、中間シート２０から剥離して貼付票１２から分離することで、配送ラベル１から分離することができる。その際、分離部１３ａが貼付票１２の外側から内側に向かっていく渦状となっているが、上述したように、渦状の外側の端部が貼付票１２の端部に設けられていることで、分離部１３ａを剥離し始める領域が認識しやすくなっている。また、その領域の擬似接着層４０による伝票シート１０と中間シート２０との接着力が他の領域に対して弱くなっていることで、分離部１３ａの渦状の外側の端部から分離部１３ａが剥離しやすくなっている。
【００３４】
また、分離部１３ａが貼付票１２から分離されていく際、分離部１３ａが、貼付票１２の外側から内側に向かっていく渦状であることで、分離部１３ａが向かう方向が急激に変化する領域が存在せず、それにより、分離部１３ａが途中で破断しにくくなる。
【００３５】
これにより、図４（ｂ）に示すように、分離部１３ａが途中で破断することなく、一度の作業で一体となって貼付票１２から分離されることになる。そのため、分離部１３ａが貼付票１２から分離された場合に貼付票１２の配送情報表示欄１２ａに表示された配送情報１２ｃを認識されにくくするために分離部１３ａの幅を狭くすることもできる。
【００３６】
また、分離部１３ａが、貼付票１２の外側から内側に向かっていく渦状であることで、分離部１３ａが向かう方向が一定になっておらず、それにより、貼付票１２の配送情報表示欄１２ａに表示された配送情報１２ｃの表示方向が分離部１３ａが向かう方向と同一とはならず、貼付票１２から分離した分離部１３ａにおいては、貼付票１２の配送情報表示欄１２ａに表示された配送情報１２ｃが認識されにくくなる。
【００３７】
その後、分離部１３ａが分離した貼付票１２においても、中間シート２０から剥離されることで、配送物２から分離することができる。その際、分離部１３ａが、貼付票１２の外側から内側に向かっていく渦状であることで、図４（ｃ）に示すように、分離部１３ａが分離した貼付票１２においても、一度の作業で一体となって配送物２から分離されることになる。
【００３８】
この際、分離部１３ａが分離した貼付票１２においても、貼付票１２の配送情報表示欄１２ａに表示された配送情報１２ｃの表示方向が分離部１３ａが向かう方向と同一とはなっていないことにより、貼付票１２の配送情報表示欄１２ａに表示された配送情報１２ｃが認識されにくくなる。
【００３９】
このようにして、貼付票１２が、分離部１３ａとその他の領域とに分離されることで、配送情報表示欄１２ａに表示された配送情報１２ｃが分断され、個人情報の漏洩を回避することができる。そしてその際、貼付票１２の配送情報表示欄１２ａに表示された配送情報１２ｃを分断するための分離部１３ａが、貼付票１２の外側から内側に向かっていく渦状であることにより、配送情報表示欄１２ａに表示された配送情報１２ｃを手間をかけずに確実に分断することができる。
【００４０】
なお、本形態においては、擬似接着層４０が、ニスの濃度が互いに異なる二種類のニス層４２ａ，４２ｂを用いることで、貼付票１２に対向する領域のうち、剥離開始マーク１２ｂが表示された端部に沿う領域を、その接着力を弱くして他の領域に対して剥離しやすい構造としているが、擬似接着層４０の接着剤層４１を構成する接着剤の濃度を、剥離開始マーク１２ｂが表示された端部に沿う領域と他の領域とで異ならせたり、貼付票１２に対向する領域に接着剤層４１を設けない構成としたりすることによっても、剥離開始マーク１２ｂが表示された端部に沿う領域を、他の領域に対して剥離しやすい構造とすることができる。
【００４１】
また、本形態においては、配送物２の配送先において配送物２のパッケージ等の外装を廃棄する際、貼付票１２のうち分離部１３ａが配送物２から分離され、その後、分離部１３ａ以外の領域が配送物２から分離されているが、貼付票１２の分離部１３ａ以外の領域が配送物２から分離された後、分離部１３ａが配送物２から分離されてもよい。
【００４２】
（他の実施の形態）
図５は、本発明の情報保護ラベルを利用した配送ラベルの他の実施の一形態を示す図であり、（ａ）は表面図、（ｂ）は（ａ）に示したＡ−Ａ’断面図、（ｃ）は伝票シート１０の裏面の構成を示す図である。
【００４３】
本形態は図５に示すように、図１に示した配送ラベル１に対して、伝票シート１０の裏面の構成が異なる配送ラベル１０１である。
【００４４】
本形態における伝票シート１０の裏面には、その全面に、貼着後の剥離及び再貼着を可能とする再剥離糊が塗布されることで第１の接着層となる再剥離糊層１５０が積層されるとともに、再剥離糊層１５０上の剥離開始マーク１２ｂに対向する領域にニス層４２ｂが積層され、これら再剥離糊層１５０及びニス層４２ｂによって伝票シート１０が剥離シート３０と剥離可能に貼着されている。
【００４５】
上記のように構成された配送ラベル１０１においては、剥離シート３０が剥離されて再剥離糊層１５０によって配送物に貼着され、その後、配達票１１及び貼付票１２が配送ラベル１０１から分離されて配送物から剥離されることになる。配達票１１及び貼付票１２は、その裏面に、貼着後の剥離及び再貼着を可能とする再剥離糊が塗布されることで再剥離糊層１５０が積層されているため、被着体となる配送物から容易に剥離することができる。そして、図１に示したものと同様に、配送物の配送先において配送物のパッケージ等の外装を廃棄する際、貼付票１２のうち分離部１３ａが配送物２から分離されると、分離部１３ａが、貼付票１２の外側から内側に向かっていく渦状であることで、一度の作業で一体となって配送物２から分離され、配送情報表示欄１２ａに表示された配送情報を手間をかけずに確実に分断することができる。
【００４６】
図６は、本願発明における分離部の他の形態を示す図である。
【００４７】
本発明における分離部としては、上述した実施の形態に示したものに限らず、例えば、図６（ａ）に示す情報表示部２０３のように、情報表示部２０３の外側から内側に向かっていく五角形の渦状のスリット２１３によって形成された分離部２１３ａであってもよい。
【００４８】
また、分離部としては、図６（ｂ）に示す情報表示部３０３のように、情報表示部３０３の外側から内側に向かっていく長方形の渦状のスリット３１３によって形成された分離部３１３ａであってもよい。この場合、分離部３１３ａの角部に丸みを帯びた形状とすることで、分離部３１３ａを情報表示部３０３から分離する際に分離部３１３ａを途中で破断しにくくすることができる。
【００４９】
また、分離部として、図６（ｃ）に示す情報表示部４０３のように、情報表示部４０３の外側から内側に向かっていく渦状のスリット４１３によって形成された２つの分離部４１３ａを有する構成としてもよい。このような構成においては、図１に示したものと同様に情報表示部４０３を基材や被着体から剥離する際、２つの分離部４１３ａをそれぞれ渦状の外側の端部から剥離することで、分離部４１３ａを情報表示部４０３から分離することとなる。
【００５０】
なお、上述した実施の形態においては、分離部１３ａ，２１３ａ，３１３ａ，４１３ａの渦状の外側の端部が、貼付票１２や情報表示部２０３，３０３，４０３の端部に設けられているものを例に挙げて説明したが、分離部１３ａ，２１３ａ，３１３ａ，４１３ａの渦状の外側の端部が、貼付票１２や情報表示部２０３，３０３，４０３の内部に設けられた構成としてもよい。その場合でも、分離部は、貼付票１２や情報表示部２０３，３０３，４０３の外側から内側に向かっていく渦状のものとなる。
【００５１】
また、上述した実施の形態においては、分離部１３ａ，２１３ａ，３１３ａ，４１３ａが、貼付票１２や情報表示部２０３，３０３，４０３に形成されたスリット１３，２１３，３１３，４１３によって貼付票１２や情報表示部２０３，３０３，４０３から分離可能と０なっているが、スリットの代わりにミシン目を用いることも考えられる。
【符号の説明】
【００５２】
１，１０１    配送ラベル
２    配送物
１０    伝票シート
１１    配達票
１１ａ，１２ａ    配送情報表示欄
１１ｂ，１２ｂ    剥離開始マーク
１１ｃ，１２ｃ    配送情報
１２    貼付票
１３，１４，２１３，３１３，４１３    スリット
１３ａ，２１３ａ，３１３ａ，４１３ａ    分離部
２０    中間シート
３０    剥離シート
４０    擬似接着層
４１    接着剤層
４２ａ，４２ｂ    ニス層
５０    粘着剤層
１５０    再剥離糊層
２０３，３０３，４０３    情報表示部
【図１】
2020040317.tif 000003
【図２】
2020040317.tif 000004
【図３】
2020040317.tif 000005
【図４】
2020040317.tif 000006
【図５】
2020040317.tif 000007
【図６】
2020040317.tif 000008